(57)【要約】      （修正有）【課題】人の手に依る衣類受取及び引渡の面倒さを取り除き、経営コストを下げる目的を達成するクリーニング店の衣類受取及び引渡自動システムを提供する。【解決手段】クリーニング店の衣類受取及び引渡自動システムは、主に衣類受取ユニットＡ及び衣類引渡ユニットＢを含む。そのうち，該衣類受取ユニットＡは、顧客が認証情報を入力した後、顧客が入れた衣類を衣類受取口１７から自動で受取り、衣類ボックスで包裝し、衣類ボックス上に識別タグを貼り付け、輸送装置で各衣類ボックスを規則正しく配列し、作業員がクリーニング所へ運搬可能にする。衣類のクリーニングが完了した後は、衣類引渡ユニットＢの保管エリア部２、３、４へ送る。該衣類引渡ユニットＢは顧客が認証情報を入力した後、顧客のデータに基づいて保管エリア部から該顧客の衣類を衣類引渡口２５、３３、４３へ自動で送り、顧客に衣類引渡口２５、３３、４３から衣類を引渡し可能にする。【選択図】図１
0003179320.tif 000002
【実用新案登録請求の範囲】
【請求項１】
中央制御監視システムと接続した制御メイン部と顧客が衣類を入れる衣類受取口を含み、前記制御メイン部は認証設備及び識別タグプリント装置を含み、顧客が前記制御メイン部の認証設備に認証情報を入力し、それを確認すると、顧客が入れた衣類を前記衣類受取口から自動で受取り、衣類ボックスで包裝し、前記識別タグプリント装置によって前記衣類ボックス上に識別タグを貼り付ける衣類受取ユニットと、
少なくとも衣類を吊り下げる第一保管エリア部、及びクリーニングが完了し且つ畳み包装した衣類を置く第二保管エリア部、及びクリーニングが完了し且つ畳み包装した布団カバー、シーツ等比較的大型の寝具用品を置く第三保管エリア部を含み、これら複数の保管エリア部にそれぞれコンベア及び衣類引渡口が設置され、顧客の衣類は衣類ごとに複数の保管エリア部の１つの保管エリア部の決められた位置に置かれ、顧客が前記認証設備に認証情報を入力すると、顧客のデータに基づいて、前記複数の保管エリア部からコンベアで顧客の依頼した衣類を前記衣類引渡口へ自動で送り、該衣類引渡口から顧客に引き渡す衣類引渡ユニットと、
を備えることを特徴とするクリーニング店の衣類受取及び引渡自動システム。
【請求項２】
前記制御メイン部の認証設備は、該制御メイン部のキーボード、カード読取機及び指紋識別装置に接続することを特徴とする請求項１記載のクリーニング店の衣類受取及び引渡自動システム。
【請求項３】
前記衣類受取ユニットの衣類受取口は、前記制御メイン部によって稼働するゲートを設置し、顧客の認証データを確認すると、前記ゲートが開いて衣類を受け取るのを待つ状態となることを特徴とする請求項１記載のクリーニング店の衣類受取及び引渡自動システム。
【考案の詳細な説明】
【技術分野】
【０００１】
本考案は、クリーニング店の衣類受取及び引渡自動システムに関するもので、特に人の手に依る衣類受取及び引渡の面倒さを取り除き、更に経営コストを下げる目的を達成するクリーニング店の衣類受取及び引渡自動システムに係わる。
【背景技術】
【０００２】
一般のクリーニング店の経営方式は、通常顧客が衣類をクリーニングに出すと、店では受取書を切り、受け取った衣類の全てに受取書と同じ番号のタグを貼り付けもしくは縛り付ける。また、顧客が衣類を取りに来ると、店では顧客が所持する受取書を元に、同じ番号で既にクリーニングされている衣類を探し、それを顧客に渡す。
【０００３】
従来、クリーニング品等を受取、引渡を改善するシステムとして、例えば特許文献１及び２に記載されていものがある。
【先行技術文献】
【特許文献】
【０００４】
【特許文献１】特開２００２−５６４５６号公報
【特許文献２】特開２００６−９９５１９号公報
【考案の概要】
【考案が解決しようとする課題】
【０００５】
解決しようとする問題点として、この伝統的なクリーニング店の経営方式は、人の手を必要とする作業が多く、経営コストが高くなる他に、更に人為的なミスによって衣類を紛失しやすいため、改善が必要な点である。
【０００６】
そこで、本考案は、これらの点に鑑み、人の手に依る衣類受取及び引渡の面倒さを取り除き、衣類受取及び引渡の自動化を達成するクリーニング店の衣類受取及び引渡自動システムを提供することを目的とする。これは、本出願人がこの領域の業務に長年従事した経験を生かして、不断の研究、実験を重ねたことに基づくものである。
【課題を解決するための手段】
【０００７】
本考案は、主に衣類受取ユニット及び衣類引渡ユニットを含む。そのうち，該衣類受取ユニットは、顧客が認証情報を入力すると、衣類受取口から顧客が入れた衣類を自動で受取り、衣類ボックスで包裝し、衣類ボックス上に識別タグを貼り付け、輸送装置で各衣類ボックスを規則正しく配列し、作業員がクリーニング所へ運びやすくする。衣類のクリーニングが完了した後、その衣類を衣類引渡ユニットの保管エリア部へ送る。顧客の衣類は保管エリア部の決められた位置に置かれる。該衣類引渡ユニットは顧客が認証情報を入力すると、顧客のデータに基づいて前記保管エリア部から該顧客の衣類を衣類引渡口へ自動で送り、顧客に対して衣類引渡口から衣類を引渡すようにしたことを、最も主要な特徴とする。
【考案の効果】
【０００８】
本考案のクリーニング店の衣類受取及び引渡自動システムは、人の手に依る衣類受取及び引渡の面倒さを取り除き、経営コストを下げる目的を達成するという利点がある。
【図面の簡単な説明】
【０００９】
【図１】本考案の一実施例のクリーニング店の衣類受取及び引渡自動システムの全体の立体図である。
【図２】本考案の一実施例における衣類受取ユニットの立体図である。
【図３】本考案の一実施例における衣類引渡ユニットの第一保管エリア構造図である。
【図４】本考案の一実施例における衣類引渡ユニットの第二保管エリア構造図である。
【図５】本考案の一実施例における衣類引渡ユニットの第三保管エリア構造図である。
【図６】本考案の一実施例における衣類引渡動作の説明図である。
【図７】本考案の一実施例における別の衣類引渡動作の説明図である。
【図８】本考案の一実施例における更に別の衣類引渡動作の説明図である。
【考案を実施するための形態】
【００１０】
本考案は、人の手に依る衣類受取及び引渡の面倒さを取り除き，更に経営コストを下げる目的を達成し、且つ預かった衣類の紛失を防止するクリーニング店の衣類受取及び引渡自動システムを提供することである。
【００１１】
前述のクリーニング店の衣類受取及び引渡自動システムは、衣類受取ユニット及び衣類引渡ユニットを含む。そのうち、該衣類受取ユニットは顧客が認証情報を入力すると、衣類受取口から顧客が入れた衣類を自動で受取り、衣類ボックスに入れ、衣類ボックス上に識別タグを貼り、輸送装置で各衣類ボックスを規則正しく配列し、それを作業員がクリーニング所へ搬送する。衣類のクリーニングが完了した後は、その衣類を衣類引渡ユニットの保管エリア部へ送る。顧客の衣類は保管エリア部の決められた位置に置かれる。該衣類引渡ユニットは、顧客が認証情報を入力すると、該顧客のデータに基づいて、前記保管エリア部から顧客がクリーニングに出した衣類を該衣類引渡口まで自動で送り、顧客が衣類引渡口から衣類を受け取る。これらによって、人の手に依る衣類受取及び引渡の面倒さを取り除き，更に経営コストを下げる目的を達成する。
【００１２】
前述のクリーニング店の衣類受取及び引渡自動システムの顧客の認証は、カードもしくは指紋識別等とする。
【００１３】
前述のクリーニング店の衣類受取及び引渡自動システムにおいて、そのうちの衣類引渡ユニットは、クリーニングが完了した衣類を掛けるハンガー、もしくはクリーニングが完了した衣類を畳んで置く収納棚及び吊り下げもしくは折り畳んだクリーニング済みの衣類を送るためのコンベアを含む。
【実施例１】
【００１４】
図１は本考案の全体立体図、図２は衣類受取ユニット立体図、図３は衣類引渡ユニット第一保管エリア構造図、図４は衣類引渡ユニット第二保管エリア構造図，及び図５は衣類引渡ユニット第三保管エリア構造図である。これらの図に示すとおり、本考案は並列設置もしくは分離設置する衣類受取ユニットＡ及び衣類引渡ユニットＢを含む。そのうち、衣類受取ユニットＡは、図示しない中央制御監視システムと接続する制御メイン部１１を設置し、制御メイン部１１はキーボード１２、カード読取機１３及び指紋識別装置１４等の認証設備、及び識別タグプリント装置１５、並びに表示するためのスクリーン１６を含む。衣類受取ユニットＡの適する位置には衣類受取口１７を設置し、該衣類受取口１７には制御メイン部１１によって稼働するゲート１７１を設置する。
【００１５】
衣類引渡ユニットＢは、第一保管エリア部２、第二保管エリア部３及び第三保管エリア部４を含む。そのうち、第一保管エリア部２は、上方に桿体２１を設置し、下方は対応位置にコンベア２２を設置する。コンベア２２は、ユニットＡにおいて認証情報を入力したときに図示しない前記中央制御監視システムの制御によって動作する。桿体２１は複数のハンガー２３を掛けるのに用い、各ハンガー２３間には仕切板２４を設置し、前方には衣類引渡口２５を設置し、クリーニングが完了した衣類はハンガー２３によって桿体２１上に吊り下げられる。
【００１６】
前記第二保管エリア部３は、一側に複数の配列した収納棚３１が設置され、下方にはコンベア３２を設置する。前方には衣類引渡口３３を設置し、複数の収納棚３１にはクリーニングが完了し且つ畳んで包装された衣類を置く。
【００１７】
前記第三保管エリア部４は、一側に複数の配列した収納棚４１が設置され、該複数の収納棚４１は比較的大きな収納空間で、下方にはコンベア４２を設置する。前方には衣類引渡口４３を設置し、その複数の収納棚４１にはクリーニングが完了し且つ畳んで包装された布団カバー、シーツ等比較的大型の寝具用品を置く。
【００１８】
前述の衣類受取ユニットＡ及び衣類引渡ユニットＢにおける第一保管エリア部２、第二保管エリア部３及び第三保管エリア部４は、レール５上に設置され、これら複数のエリア部をレールに沿って移動させることで、各エリア部の数量を増減したり、メンテナンスしたりするのに便利である。
【００１９】
前述の組立は、該衣類受取ユニットＡ及び該衣類引渡ユニットＢを並列設置もしくは分離設置し、クリーニング店の衣類受取及び引渡自動システムを構成する。顧客が衣類受取ユニットＡの制御メイン部１１でカードを入れ、指紋識別もしくはパスワード入力等方式で認証情報を入力すると、確認後にゲート１７１が開き、顧客が置いた衣類を衣類受取口１７から自動で受け取り、衣類ボックスに入れて包裝する。更に識別タグプリント装置１５によって衣類ボックス上に識別タグを貼り付け、作業員がクリーニング所へ搬送する。  
また、衣類のクリーングが完了した時、洗い上がった衣類をハンガーで吊り下げるか、もしくは衣類ボックスに畳んで置く。吊り下げ、畳み及び大型畳みの分類に基づき、衣類引渡ユニットＢの第一保管エリア部２、第二保管エリア部３もしくは第三保管エリア部４へ送る。顧客の衣類は衣類ごとに複数の保管エリア部の１つの保管エリア部の決められた位置に置かれる。顧客がユニットＡの認証設備に対して認証情報を入力すると、顧客のデータに基づき、複数の保管エリア部からコンベア２２、３２、４２にて自動で顧客のクリーニングが完了した衣類を衣類引渡口２５、３３、４３へ送り、顧客が衣類引渡口２５、３３、４３にて受け取ることで、人の手に依る衣類受取及び引渡の面倒さを取り除き，更に経営コストを下げる目的を達成する。
【００２０】
図６は、本考案の衣類引渡動作の説明図である。図２と合わせて見るとおり、本考案は顧客に衣類を引き渡す時、顧客が先ず衣類受取ユニットＡの制御メイン部１１のキーボード１２、カード読取機１３及び指紋識別装置１４、識別タグプリント装置１５等の認証設備で、カード読み込みや、指紋識別もしくはパスワード入力等方式で認証情報を入力すると、装置はそれらを確認した後、第一保管エリア部２のハンガー２３を桿体２１から外し（電気制御方式）、衣類をコンベア２２に落として、顧客の依頼した衣類を自動で衣類引渡口２５へ送り、顧客に衣類引渡口２５にて衣類を引き渡す。
【００２１】
図７は、本考案の別の衣類引渡動作の説明図である。本考案において、顧客に衣類（畳んで包装した衣類）を引き渡す時、確認後に第二保管エリア部３の収納棚３１の衣類をコンベア３２に落とし（置いた衣類は停止位置で止まっているため、衣類引渡時には電気制御で停止位置を移動する）、顧客の依頼した衣類を衣類引渡口３３へ自動で送り、衣類引渡口３３から顧客に引き渡す。
【００２２】
図８は、本考案の更に別の衣類引渡動作の説明図である。本考案に於いて、顧客に衣類（大型寝具等を畳んだもの）を引き渡す時、確認後に第三保管エリア部４の収納棚４１の衣類をコンベア４２に落とし（置いた物件は停止片で止まっているため、衣類引渡時には電気制御で停止片を開く）、顧客の依頼した衣類を衣類引渡口４３へ自動で送り、衣類引渡口４３から顧客に引き渡す。
【００２３】
前述の実施例は、本考案の良好な実施方式を説明するためのものであり、本考案の請求範囲を制限しない。拠って、僅かな変形、変更は本考案の意図を失わず、本考案の請求の範囲に含まれる。
【００２４】
上述のとおり、本考案は衣類受取ユニット及び衣類引渡ユニットによって、クリーニング店の衣類受取及び引渡自動システムを構成し、人の手に依る衣類受取及び引渡の面倒さを取り除き，更に経営コストを下げる目的を達成し、且つ預かった衣類の紛失を防止する。実用的な設計、新規性を備えた創作により、法に基づき実用新案登録を申請する。
【符号の説明】
【００２５】
Ａ        衣類受取ユニット
Ｂ        衣類引渡ユニット
１１        制御メイン部
１２        キーボード
１３        カード読取機
１４        指紋識別装置
１５        識別タグプリント装置
１６        スクリーン
１７        衣類受取口
１７１        ゲート
２        第一保管エリア部
２１        桿体
２２        コンベア
２３        ハンガー
２４        仕切板
２５        衣類引渡口
３        第二保管エリア部
３１        収納棚
３２        コンベア
３３        衣類引渡口
４        第三保管エリア部
４１        収納棚
４２        コンベア
４３        衣類引渡口
５        レール
【図１】
0003179320.tif 000003
【図２】
0003179320.tif 000004
【図３】
0003179320.tif 000005
【図４】
0003179320.tif 000006
【図５】
0003179320.tif 000007
【図６】
0003179320.tif 000008
【図７】
0003179320.tif 000009
【図８】
0003179320.tif 000010